(57)【要約】【課題】金網製の篭本体の内部に栗石を充填して形成される蛇篭を、現場に設置した際の蛇篭同士の連結を簡単且つ迅速に行うことができるように構成する。【解決手段】金網からなる篭本体２の内部に栗石３が充填されると共に、中空部材５が前記篭本体２を横切る状態に配設されることにより、該中空部材５の内部に、蛇篭同士を連結する線状あるいは棒状の連結部材１６を挿通するための中空孔４が、前記篭本体２の内部を一端から他端まで一続きに貫通するように形成される。【選択図】図１
2012092612.tif 000002
【特許請求の範囲】
【請求項１】
金網からなる篭本体の内部に栗石が充填されると共に、蛇篭同士を連結する線状又は棒状の連結部材を挿通するための中空孔が、前記篭本体の内部を一端から他端まで貫通した状態に形成されていることを特徴とする中空孔付き蛇篭。
【請求項２】
前記中空孔は、前記篭本体の内部に設置した中空部材の内部に形成されていることを特徴とする請求項１に記載の蛇篭。
【請求項３】
前記篭本体は、方形の上面網及び底面網と、方形の前面網及び後面網と、方形の右側面網及び左側面網とによって四角い容器形に形成され、
前記中空孔は、前記上面網と底面網とを結ぶ上下方向、前記前面網と後面網とを結ぶ前後方向、前記右側面網と左側面網とを結ぶ左右方向のうち、少なくとも一方向に向けて形成されている、
ことを特徴とする請求項１又は２に記載の蛇篭。
【請求項４】
金網からなる篭本体の内部に栗石を充填することにより形成された蛇篭が複数個並べて配置され、各蛇篭の内部には、該蛇篭を一端から他端まで貫通する中空孔が形成されていて、該中空孔内に連結部材が挿通され、該連結部材によって前記蛇篭が相互に連結されていることを特徴とする蛇篭連結体。
【請求項５】
前記中空孔は、前記篭本体の内部に設置した中空部材の内部に形成されていることを特徴とする請求項４に記載の蛇篭連結体。
【請求項６】
隣接する蛇篭の互いに近接する位置に前記中空孔が互いに並行するように形成され、該中空孔内に挿通した連結部材を相互に連結することによって前記蛇篭が相互に連結されていることを特徴とする請求項４又は５に記載の蛇篭連結体。
【請求項７】
前記中空孔は、隣接する蛇篭の中空孔同士が相互に連なるように形成されていて、該中空孔内に挿通された連結部材によって複数の蛇篭が数珠繋ぎに連結されていることを特徴とする請求項４又は５に記載の蛇篭連結体。
【請求項８】
金網からなる篭本体の内部に、該篭本体を一端から他端まで横切るように中空部材を配設すると共に、栗石を充填することにより、該篭本体の内部を一端から他端まで一続きに貫通する中空孔を備えた蛇篭を形成する工程、
前記蛇篭を複数個並べて配置する工程、
前記中空孔内に連結部材を挿通し、該連結部材で前記蛇篭を相互に連結する工程、
を有することを特徴とする蛇篭の設置方法。
【発明の詳細な説明】
【技術分野】
【０００１】
本発明は、金網からなる篭本体の内部に栗石を充填することにより形成される蛇篭に関するものであり、更に詳しくは、並べて設置した際の相互連結が容易な中空孔付き蛇篭に関するものである。
【背景技術】
【０００２】
例えば、特許文献１に開示されているように、海岸、河岸、湖岸等の岸辺に護岸壁を構築したり、傾斜地の法面に補強壁を構築したりする場合に、蛇篭が使用される。この蛇篭は、菱形金網等の金網によって四角い容器形や円筒形などに形成された篭本体の内部に栗石を充填したもので、複数の蛇篭を岸辺や法面に沿って縦又は横に並べたり、縦及び横の両方向に並べたりすることにより、前記護岸壁や補強壁等の擁壁が構築される。その際、蛇篭の位置ずれを防止して前記擁壁の強度を高めるため、隣接する蛇篭同士を適宜の連結金具で互いに連結している。
【０００３】
前記蛇篭同士の連結は、一般に、隣接する蛇篭の稜部に取り付けられている枠線同士を針金で結束するか、針金をコイル状に折曲して形成したスクリューストッパを巻き付けて結束するか、あるいは、菱形金網を形成する列線同士を針金で結束するなどして行われるが、何れの方法も、蛇篭の複数箇所において前記枠線同士或いは列線同士を前記連結金具を用いて結束するものであるため、設置する蛇篭の数が多い場合に、全ての蛇篭の連結を完了するまでに非常に多くの手間と時間とが必要であった。
【先行技術文献】
【特許文献】
【０００４】
【特許文献１】特開平１０−１８２９５号公報
【発明の概要】
【発明が解決しようとする課題】
【０００５】
本発明の技術的課題は、金網製の篭本体の内部に栗石を充填することにより形成される蛇篭を、並べて設置した際の蛇篭同士の相互連結を簡単且つ迅速に行うことができるように構成することにある。
【課題を解決するための手段】
【０００６】
前記課題を解決するため、本発明の蛇篭は、金網からなる篭本体の内部に栗石が充填されると共に、蛇篭同士を連結する線状又は棒状の連結部材を挿通するための中空孔が、前記篭本体の内部を一端から他端まで貫通した状態に形成されていることを特徴とするものである。
【０００７】
本発明の具体的な１つの実施態様によれば、前記篭本体は、方形の上面網及び底面網と、方形の前面網及び後面網と、方形の右側面網及び左側面網とによって四角い容器形に形成され、前記中空孔は、前記上面網と底面網とを結ぶ上下方向、前記前面網と後面網とを結ぶ前後方向、前記右側面網と左側面網とを結ぶ左右方向のうち、少なくとも一方向に向けて形成されている。
【０００８】
また、本発明の蛇篭連結体は、金網からなる篭本体の内部に栗石を充填することにより形成された蛇篭が複数個並べて配置され、各蛇篭の内部には、該蛇篭を一端から他端まで貫通する中空孔が形成されていて、該中空孔内に連結部材が挿通され、該連結部材によって前記蛇篭が相互に連結されていることを特徴とする。
【０００９】
前記蛇篭連結体においては、隣接する蛇篭の互いに近接する位置に前記中空孔が互いに並行するように形成され、該中空孔内に挿通した連結部材を相互に連結することによって前記蛇篭同士が連結されているか、あるいは、隣接する蛇篭の中空孔同士が相互に連なるように形成されていて、該中空孔内に挿通された連結部材によって複数の蛇篭が数珠繋ぎに連結されている。
本発明において前記中空孔は、前記蛇篭の内部に設置した中空部材の内部に形成されていることが望ましい。
【００１０】
また、本発明によれば、金網からなる篭本体の内部に、該篭本体を一端から他端まで横切るように中空部材を配設すると共に、栗石を充填することにより、該篭本体の内部を一端から他端まで一続きに貫通する中空孔を備えた蛇篭を形成する工程、前記蛇篭を複数個並べて配置する工程、前記中空孔内に連結部材を挿通し、該連結部材で前記蛇篭を相互に連結する工程、を有することを特徴とする蛇篭の設置方法が提供される。
【発明の効果】
【００１１】
本発明によれば、蛇篭に中空孔を形成し、該中空孔内に挿通した連結部材で並設した蛇篭を相互に連結するようにしたので、針金や該針金をコイル状に折曲したスクリューストッパ等の連結金具を用いる従来の連結方法に比べ、蛇篭同士の相互連結を簡単且つ迅速に行うことができ、この結果、設置する蛇篭の数が多くても、蛇篭の連結作業を簡単かつ迅速に行うことができる。
【図面の簡単な説明】
【００１２】
【図１】本発明に係る蛇篭の一実施形態を示す斜視図である。
【図２】図１の蛇篭の一部を破断して示す要部断面図である。
【図３】連結部材の一例を示す斜視図である。
【図４】連結部材の他例を示す側面図である。
【図５】図１の蛇篭を左右に複数個並設して線状連結部材で連結した蛇篭連結体の正面図である。
【図６】図５の蛇篭連結体の平面図である。
【図７】図１の蛇篭を上下に複数段段積して線状連結部材で連結した蛇篭連結体の正面図である。
【図８】図１の蛇篭を前後に複数個並設して線状連結部材で連結した蛇篭連結体の平面図である。
【図９】図１の蛇篭を左右及び上下に複数個並設して線状連結部材で連結した蛇篭連結体の正面図である。
【図１０】図１とは異なる実施形態の蛇篭を上下に複数段段積して線状連結部材で連結した状態の側面図である。
【図１１】更に異なる実施形態の蛇篭を前後及び左右に並設して線状連結部材で連結した蛇篭連結体の平面図である。
【図１２】図１の蛇篭を左右に並設して棒状連結部材で連結した状態の正面図である。
【図１３】図１２の平面図である。
【図１４】棒状連結部材と共に用いられる連繋金具の斜視図である。
【図１５】図１の蛇篭を左右及び上下に複数個並設して棒状連結部材で連結した蛇篭連結体の正面図である。
【図１６】図１とは異なる実施形態の蛇篭を上下に複数段段積して棒状連結部材で連結した状態の側面図である。
【図１７】蛇篭の異なる実施形態を示す要部斜視図である。
【図１８】図１７の蛇篭を棒状連結部材で連結した状態を示す要部側面図である。
【図１９】蛇篭の更に異なる実施形態を示す要部斜視図である。
【図２０】図１９の蛇篭を棒状連結部材で連結した状態を示す要部側面図である。
【図２１】更に異なる実施形態の蛇篭を複数個段積して棒状連結部材で連結した状態の側面図である。
【図２２】更に異なる実施形態の蛇篭を複数個並設して連結した蛇篭連結体の平面図である。
【発明を実施するための形態】
【００１３】
図１及び図２には本発明に係る中空孔付き蛇篭の第１実施形態が示されている。この第１実施形態の蛇篭１Ａは、角形蛇篭であって、金網好ましくは菱形金網を用いて四角い容器形に形成された篭本体２の内部に栗石３を充填することにより形成され、該蛇篭１Ａの内部には、複数の中空孔４が、栗石充填領域を一端から反対側の他端まで一続きに貫通するように形成されている。
【００１４】
前記菱形金網は、偏平螺旋状に折曲した列線７の折曲部７ａ同士を順次連繋させることにより形成されたもので、前記篭本体２は、このような菱形金網からなる方形の上面網８及び底面網９と、方形の前面網１０及び後面網１１と、方形の右側面網１２及び左側面網１３とを、四角い容器形に組み立てることにより形成されている。そして、前記蛇篭１Ａの左右両側端部寄りの上下位置、即ち四隅の近くに、前記前面網１０と後面網１１とを結ぶ前後方向に向けて該蛇篭１Ａを貫通する前記中空孔４が形成されている。
【００１５】
前記篭本体２を形成する場合、前記上面網８、底面網９、前面網１０、後面網１１、右側面網１２、左側面網１３をそれぞれ個別に形成し、各面網の外周に取り付けられた枠線同士を針金やスクリューストッパ等の連結金具１４で連結しても良いが、前記底面網９と前面網１０と後面網１１とを一連の菱形金網で形成し、上面網８と右側面網１２及び左側面網１３は個別に形成し、それらを容器形に連結しても良い。
【００１６】
前記篭本体２への栗石３の充填は、手作業で行うこともできるが、通常は、木製又は金属製の方形の保持枠（図示せず）の中に、上面網８を取り外した前記篭本体２を収容し、パワーショベル等の機械力を利用して該篭本体２の中に栗石３が充填される。充填が完了すると、前記保持枠が篭本体２から分離されたあと前記上面網８が取り付けられるか、又は、前記上面網８が取り付けられたあとに前記保持枠が蛇篭１Ａから分離される。
複数の篭本体２を１つの保持枠の内部に並べて保持させ、該複数の篭本体２内に同時に栗石３を充填することも行われる。
【００１７】
前記栗石３の充填に当たり、前記篭本体２の内部には、前記中空孔４を形成するため、金属製あるいは合成樹脂製のパイプ等からなる中空部材５が、該篭本体２を一端（図では前端）から反対側の他端（図では後端）まで横切る状態に配設され、その状態で前記栗石３の充填が行われる。前記中空部材５の両端は、前面網１０及び後面網１１と同じ位置にあっても、外部に若干突出しても良い。
前記中空部材５の断面形状は円形に限定されず、三角形や四角形あるいはその他の形状であっても良く、また、前記中空孔４の断面形状も円形である必要はなく、三角形や四角形あるいはその他の任意の形状とすることができる。
【００１８】
前記中空部材５は、栗石３の充填が完了するまで適宜の方法で篭本体２に仮止めさせておく。その方法としては、例えば、該中空部材５の両端を前面網１０及び後面網１１の網目から突出させて列線７に係止させる方法、該中空部材５の両端を仮止用針金で前面網１０及び後面網１１の列線７に結びつける方法、該中空部材５の内部に挿通した仮止用針金の両端を篭本体２の適宜位置に係止させる方法、該中空部材５の両端に該中空部材５の軸線と直交する方向に張り出すフランジ状あるいは棒状の係止片を設け、この係止片を前面網１０及び後面網１１の外面に係止させる方法などがある。
【００１９】
また、前記中空部材５を右側面網１２及び左側面網１３の内面に直接接触する状態に配設する場合は、該中空部材５の中間の適宜位置を仮止用針金で前記右側面網１２及び左側面網１３の列線７に結び着けても良い。
前記仮止用針金は、栗石充填後に除去しても良いが、そのまま放置しても良い。
【００２０】
これによって前記蛇篭１Ａの内部には、前記中空部材５の内部に、該蛇篭１Ａを一端から他端まで一続きに貫通する前記中空孔４が形成される。
【００２１】
図２に示すように、前記中空部材５を右側面網１２又は左側面網１３との間に栗石３が介在する程度に該側面網から離して配設した場合、該中空部材５は、前記栗石３で回りを取り囲まれた状態に保持される。また、前記中空部材５を右側面網１２又は左側面網１３と接触する程度に該側面網の内面に沿って配設した場合には、該中空部材５は、前記側面網１２，１３と栗石３との間に挟持された状態となる。何れの場合においても、前記中空部材５は、前記栗石３によって蛇篭の内部に安定的に配設されることになる。
【００２２】
前記中空部材５は、栗石３の充填に伴う衝撃力や該栗石３の重量等が作用しても簡単には潰れや湾曲などの変形を生じない程度に強度の大きいものが適している。しかし、若干変形したとしても、完全に潰れたり急角度で折れ曲がったりしない限り、該中空部材５の内部即ち中空孔４内に連結部材を挿通することは可能である。従って、該中空部材５即ち中空孔４は、蛇篭の内部を完全に真っ直ぐ延びている必要はなく、前記連結部材を挿通することができる程度であれば若干曲がっていても構わない。しかし、好ましくは、該中空孔４の断面の少なくとも一部が、蛇篭の一端から他端まで真っ直ぐ連なっていることである。但し、前記側面網と実質的に平行である必要はない。
【００２３】
また、前記篭本体２の内部に充填された前記栗石３は、密に充填されることによって隣接するもの同士が強く当接しかつ支え合っているため、安定した状態を維持し、容易に位置ずれすることはない。このため、前記中空部材５が極端に大径でなければ、栗石３の充填後に該中空部材５を蛇篭１Ａから抜き取ることも可能であり、抜き取った場合には、その跡に前記中空孔４が形成されることになる。該中空部材５を抜き取った跡に形成される中空孔４は、回りを栗石３に囲まれているため、当然滑らかな内周面を有していないが、連結部材を挿入するのには全く問題がない。しかし、ここで説明する各実施形態においては、前記中空部材５が蛇篭に取り付けられているものが前提である。
【００２４】
前記中空孔４は、蛇篭同士を相互に連結するための連結部材１６を挿通させるもので、このような連結部材１６としては、図３に示すような、針金やワイヤロープ等の可撓性ある線状素材で形成された線状連結部材１６Ａや、図４に示すような、ナット１７を螺着するための螺子部１８を両端に有する剛性の大きい棒状連結部材１６Ｂ等が好適に用いられる。
なお、以下の説明において、前記線状連結部材１６Ａと棒状連結部材１６Ｂとを区別して表現する必要がない場合には、それらを総称して「連結部材１６」と表示する。
【００２５】
前記構成を有する蛇篭１Ａは、現場に列状に並べて設置され、前記中空孔４内に連結部材１６を挿通することによって様々な態様で連結され、蛇篭連結体を形成する。
【００２６】
図５及び図６は、前記蛇篭１Ａを左右方向に並設して線状連結部材１６Ａで相互に連結した蛇篭連結体の平面図及び正面図であり、隣接する蛇篭１Ａ同士が、前記中空孔４内に挿通した線状連結部材１６Ａを輪状に連結することにより、相互に連結されている。この場合、隣接する蛇篭１Ａの上方（上面側）の中空孔４同士又は下方（底面側）の中空孔４同士は、互いに近接し且つ相互に平行又は平行に近い姿勢を占めている。
【００２７】
前記線状連結部材１６Ａを輪状に連結する場合、図６の左から２番目の蛇篭１Ａと３番目の蛇篭１Ａとを連結する連結部のように、各蛇篭１Ａの中空孔４内に線状連結部材１６Ａを個別に挿通し、隣接する蛇篭の線状連結部材１６Ａの端部同士を一体に結合しても良いが、図６の左から３番目の蛇篭１Ａと右端の蛇篭１Ａとを連結する連結部のように、隣接する蛇篭１Ａの中空孔４内に１つの線状連結部材１６ＡをＵ字状に折り曲げて挿通し、該線状連結部材１６Ａの両端を１つに結合しても良い。前記線状連結部材１６Ａによる連結は、上方又は下方の中空孔４毎に別々に行われる。
前記線状連結部材１６Ａの端部同士を結合する方法としては、該端部同士を相互に撚り合わせたり、端部に形成した環同士を相互に連繋させたり、端部同士を別の金具で固定するなどの方法がある。
【００２８】
また、前記中空部材５は、該中空部材５の内部に前記線状連結部材１６Ａを挿通したあと、この線状連結部材１６Ａに沿って蛇篭１Ａから抜き取り、そのあと該線状連結部材１６Ａを前述のように輪状に結合することもできる。
なお、前記線状連結部材１６Ａを各蛇篭１Ａに個々に挿通する場合は、該線状連結部材１６Ａを蛇篭の製造段階で前記中空部材５内に挿通しておいても良い。
【００２９】
図７には、図１に示す蛇篭１Ａを上下に複数段段積して前記線状連結部材１６Ａで連結した蛇篭連結体の正面図が示されている。この蛇篭連結体では、上下に隣接する蛇篭１Ａ同士が、下段の蛇篭１Ａにおける上方の中空孔４と上段の蛇篭１Ａにおける下方の中空孔４とに挿通した前記線状連結部材１６Ａを輪状に結合することにより相互に連結されている。前記線状連結部材１６Ａを輪状に結合する方法は、前記図５及び図６の実施形態で説明した場合と同様である。
【００３０】
図８には、図１に示す蛇篭１Ａを前後方向に並設して前記線状連結部材１６Ａで連結した蛇篭連結体の平面図が示されている。この実施形態では、前後に隣接する蛇篭１Ａの対応する中空孔４同士は１つに連なるため、連なった中空孔４内に一連の線状連結部材１６Ａを挿通し、該線状連結部材１６Ａの両端を列の両端の蛇篭１Ａに適宜の手段で係止させることにより、複数の蛇篭１Ａが前記線状連結部材１６Ａにより数珠繋ぎに連結されている。
また、図８に鎖線で示すように、左右に並設されている蛇篭連結体同士を相互に連結する場合には、隣接する蛇篭連結体の線状連結部材１６Ａの両端部同士を互いに結合することにより、隣接する蛇篭連結体同士を相互に連結することもできる。
【００３１】
図９には、図１に示す蛇篭１Ａを上下及び左右に並べて配置し、線状連結部材１６Ａで連結した蛇篭連結体の正面図が示されている。この実施形態において、４つの蛇篭の端部が接する部分では、各中空孔４内にそれぞれ２本の線状連結部材１６Ａが挿通され、一方の線状連結部材１６Ａで上下に隣接する蛇篭１Ａ同士が連結され、他方の線状連結部材１６Ａで左右に隣接する蛇篭１Ａ同士が連結されている。従ってこの場合、前記線状連結部材１６Ａとしては、前記中空孔４内に同時に複数本挿通できる太さの線状連結部材１６Ａが使用される。
【００３２】
また、図９において、前後方向に並設されている蛇篭同士も同時に連結する場合には、図８に示す実施形態のように、前後の蛇篭１Ａの１つに連なった中空孔４内に第３の線状連結部材を挿通し、該第３の線状連結部材の両端部を列の両端の蛇篭１Ａに係止させることにより、前後の蛇篭を前記第３の線状連結部材で数珠繋ぎに連結することができる。
【００３３】
前記実施形態では、蛇篭１Ａの正面視において左右両端寄りの位置にそれぞれ上下２つ（合計４つ）の中空孔４が設けられているが、この中空孔４の配設位置及び数は任意であり、蛇篭の連結態様に応じて１つ又は２つ以上の中空孔４を適宜位置に設けることができる。例えば、蛇篭の左右両端寄りで上下方向の中央位置にそれぞれ１つ（合計２つ）の中空孔４を設けることも、左右方向の中央位置に１つの中空孔４を設けることもできる。
【００３４】
また、前記実施形態において前記中空孔４は、蛇篭１Ａの前後方向即ち前面網１０と後面網１１とを結ぶ方向に配設されているが、該中空孔４は、蛇篭１Ａの左右方向即ち右側面網１２と左側面網１３とを結ぶ方向に配設することも、蛇篭１Ａの上下方向即ち上面網８と底面網９とを結ぶ方向に配設することも、前記３つの方向のうちの何れか２方向あるいは３方向に配設することもでき、それらの配設位置及び数も前述した場合と同様に任意である。
【００３５】
図１０には、複数の蛇篭１Ｂを前後に少しずつ位置をずらせて階段状に段積し、上下に隣接する蛇篭１Ｂ同士を線状連結部材１６Ａで連結した蛇篭連結体が示されている。この実施形態において、各蛇篭１Ｂには、その中央に対して前面網１０側に寄った位置と後面網１１側に寄った位置とにそれぞれ中空孔４が上下方向に形成され、前面網１０側の中空孔４（前方中空孔４ａ）には、第１の線状連結部材１６Ａ１が、該前方中空孔４ａより蛇篭１Ｂの前面網１０側に位置する部分を取り巻くと共に、一部に延長部１６ａを有するように挿通され、後面網１１側の中空孔４（後方中空孔４ｂ）には、第２の線状連結部材１６Ａ２が、該後方中空孔４ｂより蛇篭１Ｂの後面網１１側に位置する部分を取り巻くと共に、一部に延長部１６ａを有するように挿通されている。
【００３６】
そして、上段の蛇篭１Ｂの前端部が下段の蛇篭１Ｂの前方中空孔４ａの位置を占めると共に、下段の蛇篭１Ｂの後端部が上段の蛇篭１Ｂの後方中空孔４ｂの位置を占めるように上下の蛇篭１Ｂを段積し、下段の蛇篭１Ｂの第１の線状連結部材１６Ａ１の延長部１６ａを、上段の蛇篭１Ｂの前面で該上段の蛇篭１Ｂの第１の線状連結部材１６Ａ１に連結すると共に、下段の蛇篭１Ｂの第２の線状連結部材１６Ａ２の延長部１６ａを、上段の蛇篭１Ｂの後面で該上段の蛇篭１Ｂの第２の線状連結部材１６Ａ２に連結することにより、上下の蛇篭１Ｂが相互に連結されている。
【００３７】
図１１には、第１−第４の４つの蛇篭１Ｃが相互に連結されて形成された蛇篭連結体が示されている。前記蛇篭１Ｃは、中央部に中空部材５を縦向きに配設することにより、該蛇篭１Ｃの中央を上下方向に貫通する１つの中空孔４が形成されたものである。
【００３８】
この実施形態では、４つの蛇篭１Ｃが前後及び左右に配設され、第１の蛇篭１Ｃ１の中空孔４と第２の蛇篭１Ｃ２の中空孔４とに、１本の第１の線状連結部材１６Ａ１がＵ字形に折り曲げられて下から上に向けて挿通され、第２の蛇篭１Ｃ２の中空孔４と第３の蛇篭１Ｃ３の中空孔４とに、１本の第２の線状連結部材１６Ａ２がＵ字形に折り曲げられて下から上に向けて挿通され、第３の蛇篭１Ｃ３の中空孔４と第４の蛇篭１Ｃ４の中空孔４とに、１本の第３の線状連結部材１６Ａ３がＵ字形に折り曲げられて下から上に向けて挿通され、第４の蛇篭１Ｃ４の中空孔４と第１の蛇篭１Ｃ１の中空孔４とに、１本の第４の線状連結部材１６Ａ４がＵ字形に折り曲げられて下から上に向けて挿通されている。
【００３９】
そして、前記各蛇篭１Ｃの上面において、前記第１の線状連結部材１６Ａ１の端部同士と、第２の線状連結部材１６Ａ２の端部同士と、第３の線状連結部材１６Ａ３の端部同士と、第４の線状連結部材１６Ａ４の端部同士とが、それぞれ１つに結合されることにより前記４つの蛇篭１Ｃが一体に連結されている。
【００４０】
前記図１１の蛇篭連結体を形成するときは、上面網８が取り外されて未だ栗石３が充填されていない状態の４つの篭本体２を、前記中空部材５の内部に４本の前記線状連結部材１６Ａ１−１６Ａ４を挿通して端部同士を結合していない状態で配置し、各篭本体２の内部に栗石３を充填して上面網８を取り付けたあと、前記４本の線状連結部材１６Ａ１−１６Ａ４の端部同士を前述した態様で連結する。
【００４１】
図１２及び図１３には、図１に示す蛇篭１Ａを棒状連結部材１６Ｂを用いて連結する方法が示されている。この方法では、左右に隣接する蛇篭１Ａの中空孔４内に、図４に示す棒状連結部材１６Ｂをそれぞれ挿通し、並行する左右２本の棒状連結部材１６Ｂの両端部間に図１４に示すような連繋金具２１を掛け渡したあと、各棒状連結部材１６Ｂの両端の螺子部１８にそれぞれナット１７を螺着することにより、前記連繋金具２１で前記２本の棒状連結部材１６Ｂが互いに連結され、それによって隣接する前記蛇篭１Ａ同士が相互に連結されている。
【００４２】
前記連繋金具２１は、図１４に示すように、細長くかつ平たい金属プレートに棒状連結部材１６Ｂを挿入するための２つの係止孔２２を設けたもので、該係止孔２２は、隣接する蛇篭１Ａの棒状連結部材１６Ｂの間隔に若干のばらつきがあっても対応できるように、少なくとも一方を横に長い長孔とするのが望ましい。
前記プレート状の連繋金具２１の代わりに、針金の両端を環状に折曲して形成した針金製の連繋金具を使用することもできる。
【００４３】
蛇篭が左右方向に３つ以上並設されている場合には、上記方法によって隣接する蛇篭同士を次々に連結することができる。
【００４４】
また、上下に段積した蛇篭１Ａ同士を相互に連結する場合は、上下の蛇篭１Ａの中空孔４内に挿通した棒状連結部材１６Ｂ間に前記連繋金具２１を掛け渡してナットで固定することにより、上下の棒状連結部材１６Ｂを該連繋金具２１で連結すれば良い。
【００４５】
更に、前後方向に並設した蛇篭１Ａを相互に連結する場合は、図８に示すように前後の蛇篭１Ａの中空孔４は１つに連なるため、連なった中空孔４内に、図８の線状連結部材１６Ａの代わりに、連結すべき複数の蛇篭１Ａを貫通する長さを有する１本の棒状連結部材１６Ｂを挿通し、該棒状連結部材１６Ｂの両端に、菱形金網の網目より大径の円板形、矩形、棒状等の係止金具を取り付け、棒状連結部材１６Ｂの両端に螺着したナット１７でこの係止金具を蛇篭の前面網１０及び後面網１１の外面に係止させることにより、前記蛇篭１Ａを前記棒状連結部材１６Ｂで数珠繋ぎに連結することができる。
あるいは、蛇篭に左右方向の中空孔を形成し、隣接する蛇篭の中空孔内に挿通した棒状連結部材１６Ｂ間に前記連繋金具２１を掛け渡してナット１７で固定するようにしても良い。
【００４６】
図１５には、図１に示す蛇篭１Ａを上下及び左右に並べて配置し、中空孔４内に挿入した棒状連結部材１６Ｂで相互に連結した蛇篭連結体の正面図が示されている。この実施形態において、４つの蛇篭１Ａの端部が集中する部分では、各棒状連結部材１６Ｂに、左右の蛇篭の棒状連結部材１６Ｂ同士を連結する連繋金具２１と上下の蛇篭の棒状連結部材１６Ｂ同士を連結する連繋金具２１との、２つの連繋金具２１が取り付けられる。
蛇篭が左右だけ又は上下だけに隣接し合う位置においては、棒状連結部材１６Ｂに１つの連結部材１６が取り付けられることによって隣接する蛇篭が相互に連結されている。
【００４７】
蛇篭が左右方向及び上下方向にそれぞれ３つ以上並設されている場合には、上記方法によって隣接する蛇篭同士を次々に連結することができる。
【００４８】
図１６には、複数の蛇篭１Ｄを少しずつ前後に位置をずらせて階段状に段積し、上下に隣接する蛇篭１Ｄ同士を棒状連結部材１６Ｂで相互に連結した蛇篭連結体の実施形態が示されている。この実施形態では、上下２つの蛇篭１Ｄの互いに重なり合う位置に、中空部材５を上下方向に設置することにより１つに連なる中空孔４が形成され、この中空孔４内に、２つの蛇篭１Ｄを貫通する長さの１本の棒状連結部材１６Ｂが挿通され、該棒状連結部材１６Ｂの上下端に菱形金網の網目より大径の円板形、矩形、棒状等の係止金具２３が取り付けられると共に、ナット１７が螺着され、該ナット１７で前記係止金具２３が蛇篭１Ｄの上面網８及び底面網９の外面にそれぞれ係止されることにより、上下の蛇篭１Ｄが相互に連結されている。
【００４９】
図１７には、蛇篭１Ｅ及び蛇篭連結体の他の実施形態が示されている。この実施形態では、隣接する第１の蛇篭１Ｅ１と第２の蛇篭１Ｅ２との相互に連結される端部にそれぞれ段状の凸部２５，２６が形成され、第１の蛇篭１Ｅ１の凸部２５は該蛇篭の下半部に形成され、第２の蛇篭１Ｅ１の凸部２６は該蛇篭の上半部に形成され、各凸部２５，２６の内部には、複数の中空部材５を縦向きに設置することにより該凸部２５，２６を上下方向に貫通する複数の中空孔４が平行に形成されている。
【００５０】
そして、図１８に示すように、前記凸部２５，２６同士を上下から相互に当接させて対応する中空孔４同士を１つに連通させ、その中にそれぞれ棒状連結部材１６Ｂを挿通し、第１の蛇篭１Ｅ１の下面と第２の蛇篭１Ｅ２の上面とにおいて全部の棒状連結部材１６Ｂに渡る長さの係止金具２３を取り付け、各棒状連結部材１６Ｂに螺着したナット１７で該係止金具２３を蛇篭１Ｅの外面に係止させることにより、前記第１の蛇篭１Ｅ１と第２の蛇篭１Ｅ２とが相互に連結されている。
【００５１】
前記第１の蛇篭１Ｅ１及び第２の蛇篭１Ｅ２の他端には、前記凸部２５，２６が図示した場合とは上下逆の配置で形成されていて、他の蛇篭と次々に連結できるようになっている。
なお、前記棒状連結部材１６Ｂの代わりに線状連結部材１６Ａを用いることもできる。
【００５２】
図１９には、蛇篭１Ｆ及び蛇篭連結体の他の実施形態が示されている。この実施形態では、隣接する第１の蛇篭１Ｆ１と第２の蛇篭１Ｆ２との互いに連結される端部に、相互に嵌合するほぞ穴２７とほぞ２８とが形成されると共に、第１の蛇篭１Ｆ１の前記ほぞ穴２７の両側の部分と、第２の蛇篭１Ｆ２の前記ほぞ２８の部分とに、中空部材５を横向きに配設することにより前記ほぞ２８をほぞ穴２７内に嵌合したとき１つに連なる中空孔４が形成されている。
【００５３】
そして、図２０に示すように、前記ほぞ２８をほぞ穴２７に嵌合させた状態で前記中空孔４内に１本の棒状連結部材１６Ｂを挿通し、該棒状連結部材１６Ｂの両端に係止金具２３を取り付け、前記棒状連結部材１６Ｂに螺着したナット１７で該係止金具２３を蛇篭の外面に係止させることにより、前記第１の蛇篭１Ｆ１と第２の蛇篭１Ｆ２とが相互に連結されている。
【００５４】
前記ほぞ穴２７が形成された第１の蛇篭１Ｆ１の反対側の端部にはほぞが形成され、前記ほぞが形成された第２の蛇篭１Ｆ２の反対側の端部にはほぞ穴が形成されていて、他の蛇篭と次々に連結できるようになっていることが望ましい。
なお、前記棒状連結部材１６Ｂの代わりに線状連結部材１６Ａを用いることもできる。
【００５５】
なお、前記各実施形態において、前記中空孔４は、それが貫通する面網に対して実質的に垂直の方向に形成されているが、必ずしも垂直である必要はなく、貫通する面網に対して斜めをなすように傾斜していても良い。
【００５６】
図２１に示す蛇篭連結体は、蛇篭１Ｇの内部に上面網８及び底面網９に対して斜めに貫通する中空孔４を形成し、複数の蛇篭１Ｇを上下に階段状に段積し、１つに連なる中空孔４内に全ての蛇篭を貫通する１本の棒状連結部材１６Ｂを挿通し、該棒状連結部材１６Ｂの上下両端を係止金具２３とナット１７とで最上段の蛇篭１Ｇの上面と最下段の蛇篭１Ｇの下面とにそれぞれ係止させることにより、前記蛇篭１Ｇが数珠繋ぎに連結されたものである。
【００５７】
以上に説明したように、蛇篭に中空孔４を形成し、該中空孔４内に挿通した連結部材１６で蛇篭同士を相互に連結することにより、列状に並設された複数の蛇篭を簡単な方法で強固に連結することができる。特に、この連結方法は、従来のような隣接する蛇篭の枠線同士或いは列線同士を複数箇所で針金やスクリューストッパ等の連結金具で結合する方法に比べ、非常に簡単かつ効率的であるため、設置する蛇篭の数が多い場合でも、少ない手間でそれらを迅速かつ短時間に連結することが可能である。
【００５８】
なお、前記各実施形態では、四角い篭本体２を用いて形成された角形の蛇篭が示されているが、円筒形の蛇篭や短円柱形をした蛇篭（だるま篭）など角形の蛇篭以外にも本発明は適用することができる。
例えば、図２２に示すように、円筒形の蛇篭１Ｈに該蛇篭を直径方向に貫通する中空部材５を設けることによって中空孔４を１つ又は複数形成し、隣接する蛇篭１Ｈの対応する中空孔４が１つに連なるように複数の蛇篭を並設し、前記中空孔４内に挿通した棒状連結部材１６Ｂと係止金具２３及びナット１７とによって前記蛇篭１Ｈを相互に連結することもできる。
前記円筒形の蛇篭１Ｈを軸線方向に並設した場合には、該蛇篭１Ｈの軸線方向に中空孔４を形成し、この中空孔４内に挿通した連結部材１６で複数の蛇篭を数珠繋ぎに連結することもできる。
前記棒状連結部材１６Ｂに代えて線状連結部材１６Ａを使用することもできる。
【符号の説明】
【００５９】
１Ａ−１Ｈ      蛇篭
２      篭本体
３      栗石
４      中空孔
５      中空部材
８      上面網
９      底面網
１０      前面網
１１      後面網
１２      右側面網
１３      左側面網
１６      連結部材
【図１】
2012092612.tif 000003
【図２】
2012092612.tif 000004
【図３】
2012092612.tif 000005
【図４】
2012092612.tif 000006
【図５】
2012092612.tif 000007
【図６】
2012092612.tif 000008
【図７】
2012092612.tif 000009
【図８】
2012092612.tif 000010
【図９】
2012092612.tif 000011
【図１０】
2012092612.tif 000012
【図１１】
2012092612.tif 000013
【図１２】
2012092612.tif 000014
【図１３】
2012092612.tif 000015
【図１４】
2012092612.tif 000016
【図１５】
2012092612.tif 000017
【図１６】
2012092612.tif 000018
【図１７】
2012092612.tif 000019
【図１８】
2012092612.tif 000020
【図１９】
2012092612.tif 000021
【図２０】
2012092612.tif 000022
【図２１】
2012092612.tif 000023
【図２２】
2012092612.tif 000024